(57)【要約】  流体に対する耐食性を有するライニング型バタフライバルブであり、天地シール性と軸シール性とを同時に向上して漏れを確実に防止し、流体圧によりジスクが二次側に移動した場合にも、これらのシール性を維持できるバタフライバルブを提供する。  シートライナ（２０）で被覆した筒形ボデー（１１）内にライニング部（３２）で被覆したジスク（１２）をステム（１３）を介して開閉自在に設けた。ステム（１３）の軸シール部位（１８）をリング体（２２）とステム（１３）との間に挟み込むことにより当該軸シール部位（１８）の拡径を防止すると共に、ボデー（１１）の軸装部（２７）内に設けたスプリング（４４）の弾発力でリング体（２２）を介してジスク（１２）の天地のボス面（３７）に位置するシートライナ（２０）を押圧することにより当該天地シール部位（１９）のシール性を保持した。
2016121709.tif 000002
【特許請求の範囲】
【請求項１】
シートライナで被覆した筒形ボデー内にライニング部で被覆したジスクをステムを介して開閉自在に設けたバタフライバルブであって、前記ステムの軸シール部位をリング体とステムとの間に挟み込むことにより当該軸シール部位の拡径を防止すると共に、前記ボデーの軸装部内に設けたスプリングの弾発力で前記リング体を介して前記ジスクの天地のボス面に位置するシートライナを押圧することにより当該天地シール部位のシール性を保持したことを特徴とするライニング型バタフライバルブ。
【請求項２】
前記天地シール部位は、前記ジスクの天地のシールボス面の外周近傍位置を強く押圧するようにした請求項１に記載のライニング型バタフライバルブ。
【請求項３】
前記リング体は、前記軸シール部位に設けたシーリングブッシュの環状鍔部を介して前記シートライナを押圧した請求項１又は２に記載のライニング型バタフライバルブ。
【請求項４】
前記環状鍔部の底面に、外径に向かって下降傾斜するテーパ面を設けた請求項３に記載のライニング型バタフライバルブ。
【請求項５】
前記シートライナに延設した筒状ライニング部の内周に肉厚シール部を設け、この肉厚シール部をジスクのライニング部に延設した軸筒ライニング部の外周に押圧した請求項１乃至４の何れか１項に記載のライニング型バタフライバルブ。
【請求項６】
前記肉厚シール部に断面山形状のテーパ面部を形成した請求項５に記載のライニング型バタフライバルブ。
【請求項７】
前記筒状ライニング部と前記リング体との間に前記シーリングブッシュに形成した円筒部を介在させ、前記リング体により前記円筒部を介して前記筒状ライニング部の拡径を防止した請求項５又は６に記載のライニング型バタフライバルブ。
【請求項８】
前記シーリングブッシュの円筒部に内挿したＯリングを前記シートライナの筒状ライニング部に摺接した請求項３乃至７の何れか１項に記載のライニング型バタフライバルブ。
【請求項９】
前記ステムと前記ジスクとを別体に形成した請求項１乃至８の何れか１項に記載のライニング型バタフライバルブ。
【請求項１０】
短筒状の前記ボデーの流路口とフランジ部とを前記シートライナで被覆し、全閉時の流体圧で前記ジスクと前記ステムとが二次側に若干移動する際に、前記シートライナが追随して移動可能な移動スペースを前記フランジ部の流路部側の縁部位置に設けた請求項１乃至９の何れか１項に記載のライニング型バタフライバルブ。
【請求項１１】
前記ライニング部は、前記ジスクの上下のボス部を被覆したボス面とこのボス面から前記ステムの外周に被覆した軸筒ライニング部とからなり、かつ前記シートライナは、前記フランジ部から前記流路部を延設して前記ボス面とシール接続するシール面とこのシール面から前記軸筒ライニング部の外周にシール接続する筒状ライニング部を上下に延設すると共に、前記ジスクの二次側への移動に追随して前記移動スペースによるシートライナの流路部の移動により、前記ボス面とシール面との天地シールと、前記軸筒ライニング部と筒状ライニング部との軸シールとのシール性を維持するようにした請求項１０に記載のライニング型バタフライバルブ。
【請求項１２】
前記移動スペースは、ボデーの流路口の縁部をボデーの端面側に切り欠いて形成したテーパ面である請求項１０又は１１に記載のライニング型バタフライバルブ。
【請求項１３】
前記移動スペースは、ボデーの流路口の縁部を段部状に切り欠いて形成した段部面である請求項１０又は１１に記載のライニング型バタフライバルブ。
【請求項１４】
前記移動スペースは、前記シートライナの流路部とフランジ端部との接続部分に設けたテーパ状のテーパスペースである請求項１０又は１１に記載のライニング型バタフライバルブ。
【発明の詳細な説明】
【技術分野】
【０００１】  本発明は、弁体及び弁箱内周面に樹脂ライニングが施されたライニング型バタフライバルブに関し、特に、弁体の天地側及び弁棒の軸シール部位付近のシール性を向上したバタフライバルブに関する。
【背景技術】
【０００２】  従来、化学薬品工業用のプラントで使用して高腐食性流体を流す場合や、食品関連の流路などに用いられるバタフライバルブとして、弁体の金属製の芯体が樹脂ライニング層で被覆され、弁箱の内周面に樹脂シートリングが装着された、いわゆるライニング構造のバタフライバルブが知られている。このライニング型バタフライバルブは、弁体ライニング層や樹脂シートリングがＰＴＦＥやＰＦＡなどの樹脂材料により形成されており、これらの材料以外が流体に触れないため、激しい腐食流体、例えば塩素ガスや塩酸などの化学流体、薬液、食品、溶剤などに適している。【０００３】  この種のライニング型バタフライバルブでは、弁体の天地側や弁棒の軸シール部位付近からの流体の外部漏れを防止するために、その付近に複数のシール構造が段階的に設けられている。天地側のシール構造は、いわゆる天地シールと呼ばれ、一次シールとして設けられている。天地シールでは、弁箱の内周に装着された樹脂シートリングが、弁体の天地、すなわち上部、下部側の弁棒挿入孔の周囲面にそれぞれ押圧によりシールされて上流側から下流側への流体の通過漏れが防止されると共に、弁体に接続される弁棒周りからの流体漏れが最も弁体側の位置で防止される。  弁棒の軸シール部位のシール構造は、いわゆる軸シールと呼ばれ、バタフライ弁の一次シールよりも弁棒の軸方向の外方位置に、弁棒と同心状に二次シールとして設けられる。軸シールでは、弁棒周りからの流体漏れが防止されると共に、弁箱と樹脂シートリングとの間からの流体漏れ（いわゆる、裏漏れ）が防止される。  さらに、二次シールよりも弁棒の軸方向の外方位置には、Ｏリングなどのシール部材が三次シールとして配置されることがあり、これにより弁棒周りからの流体漏れがさらに防止される。【０００４】  このような複数のシール構造が設けられたものとして、例えば、特許文献１、２のバタフライ弁が開示されている。特許文献１では、樹脂シートリングが内周側に設けられた支えによって保持され、弁体の直径が樹脂シートリングよりも大きくなっている。このことにより、樹脂シートリングが圧縮されて天地シールが機能し、一方、シール部材である輪形材がボデー穴に形成された肩で保持された座金により止められていることで、輪形材により軸シールが機能するようになっている。  特許文献２では、ボデーと樹脂シートリングとの間に設けられたクッションにより天地シールが機能し、この天地シール部位の軸方向の二次側に設けられたクランプ装置により軸シールが機能するようになっている。  このように、これらのバルブでは、一次シールである天地シールと、二次シールである弁棒への第１の軸シールとがそれぞれ独立した構造で設けられ、それぞれのシール部位により天地シールと軸シールとが設けられている。【０００５】  一方、特許文献３〜５のバタフライ弁では、天地シールに、スプリングによる押圧力が利用された構造に設けられている。  特許文献３の蝶形弁では、ばねにより円筒状プラグがボス部位側に弾発され、これにより樹脂シートリングと弁体との間の一次シールである天地シールが施され、円筒状プラグと樹脂シートリングとの間に設けられたＯリングにより二次シールである軸シールが設けられている。  特許文献４のバタフライ弁では、皿ばねにより押えリングが押圧され、この押えリングにより押圧されたシールリングにより、天地シールと軸シールとが機能するようになっている。  特許文献５においては、スプリングにより押圧された軸受部材を介してシール部材である弾性体が軸方向に押圧され、この弾性体により天地シールと軸シールとが機能するようになっている。【０００６】  また、比較例として図９に示したバタフライ弁１では、金属製の芯体２に樹脂ライニング層３が被覆されて円盤状の弁体４が設けられ、弁箱９の内周面には樹脂シートリング５が装着されている。さらに、樹脂ライニング層３が、弁体４に装着された弁棒６に沿って軸方向に延長されて弁棒被覆部７が形成され、この弁棒被覆部７の外周面に樹脂シートリング５が弁棒６に沿って延長された延長被覆部８が配置されていることにより、シール性を確保しようとしている。【０００７】  ところで、バタフライバルブでは、弁閉状態で一次側から流体圧が加わった場合、この流体圧により弁体が二次側に若干移動することが知られている。例えば、呼び径１００Ａのバタフライバルブでは、弁閉状態で１．０ＭＰａの水圧が一次側から加わった場合、弁体が二次側に約０．２ｍｍ程度移動する。
【先行技術文献】
【特許文献】
【０００８】
【特許文献１】特開昭５２−９０８１５号公報
【特許文献２】特許第３８６３５６３号公報
【特許文献３】特開昭６１−１１９８８１号公報
【特許文献４】実公昭５８−５６４６３号公報
【特許文献５】特許第２９２０３６４号公報
【発明の概要】
【発明が解決しようとする課題】
【０００９】  特許文献１及び２のバタフライ弁においては、双方ともに天地シールと軸シールとがスプリングから独立した状態で設けられ、特許文献１では弁体の直径が樹脂シートリング内径よりも大きいこと、特許文献２ではボデーと樹脂シートリングとの間に設けられたクッションにより、それぞれ天地シールが機能するようになっている。このような構造であることから、ライニング樹脂の温度変化や経年変化などによる劣化によってシール性が低下した場合、このシール性低下に対してスプリングの弾発力を利用して天地シールを回復することができない。これにより、天地シール性と軸シール性とを維持することが難しい。【００１０】  一方、特許文献３〜５のバタフライ弁においては、スプリングを利用した天地シールにより、スプリングの弾発力による天地シールの回復は可能ではあるが、それぞれ以下の問題を有している。  特許文献３の蝶形弁は、二次シールにＯリングを用いた構造であり、このＯリングとしてゴム系材料を用いた場合には、塩素等の腐食性流体用として用いることができない。そのため、二次シールが確保できなくなり、バルブの用途が限定されることにもつながる。  特許文献４におけるバタフライ弁では、皿ばねの押圧力が押えリングとシールリングとに設けられたテーパ面により、天地シール方向と軸シール方向とに分力されているため、何れか一方側のシール力を強くすれば他方側のシール性が弱くなり、双方のシール力を効果的に高めることができない。しかも、これら天地シールと軸シールとをバランスよく保つ調整も必要になり、その調整も困難となる。  特許文献５においても、スプリングの押圧力を弾性体のテーパ面を利用して一次シールと二次シールとに分力していることから、特許文献４と同様の問題を有している。【００１１】  また、特許文献１〜５や比較例として示した図９のバタフライ弁１において、例えば、図９のバタフライ弁１に全閉時の状態で一次側から流体圧が加わり、図に示すように弁体４が二次側に移動したときには、樹脂ライニング層３も二次側に移動する。この場合、樹脂ライニング層３の天地側が樹脂シートリング５に対して二次側にずれてこれらの密着性が悪くなり、これら樹脂ライニング層３と樹脂シートリング５とによってなされる弁体４の天地側の弁棒６周辺における弁箱９とのシール性、すなわち天地シール性が低下し、いわゆる一次漏れを生ずるおそれがある。  さらに、図９において弁体４の移動に伴って弁棒６が二次側に移動することで、弁棒被覆部７と延長被覆部８との密着性も悪くなり、これら弁棒被覆部７と延長被覆部８とによってなされる弁棒６と弁箱９とのシール性、すなわち弁棒６の軸シール性が低下し、いわゆる二次漏れを生じるおそれもある。【００１２】  本発明は、従来の課題を解決するために開発したものであり、その目的とするところは、流体に対する耐食性を有するライニング型バタフライバルブであり、天地シール性と軸シール性とを同時に向上して漏れを確実に防止し、流体圧によりジスクが二次側に移動した場合にも、これらのシール性を維持することができるバタフライバルブを提供することにある。
【課題を解決するための手段】
【００１３】  上記目的を達成するため、請求項１に係る発明は、シートライナで被覆した筒形ボデー内にライニング部で被覆したジスクをステムを介して開閉自在に設けたバタフライバルブであって、ステムの軸シール部位をリング体とステムとの間に挟み込むことにより当該軸シール部の拡径を防止すると共に、ボデーの軸装部内に設けたスプリングの弾発力でリング体を介してジスクの天地のボス面に位置するシートライナを押圧することにより当該天地シール部位のシール性を保持したライニング型バタフライバルブである。【００１４】  請求項２に係る発明は、天地シール部位は、ジスクの天地のシールボス面の外周近傍位置を強く押圧するようにしたライニング型バタフライバルブである。【００１５】  請求項３に係る発明は、リング体は、軸シール部位に設けたシーリングブッシュの環状鍔部を介してシートライナを押圧したライニング型バタフライバルブである。【００１６】  請求項４に係る発明は、環状鍔部の底面に、外径に向かって下降傾斜するテーパ面を設けたライニング型バタフライバルブである。【００１７】  請求項５に係る発明は、シートライナに延設した筒状ライニング部の内周に肉厚シール部を設け、この肉厚シール部をジスクのライニング部に延設した軸筒ライニング部の外周に押圧したライニング型バタフライバルブである。【００１８】  請求項６に係る発明は、肉厚シール部に断面山形状のテーパ面部を形成したライニング型バタフライバルブである。【００１９】  請求項７に係る発明は、筒状ライニング部とリング体との間にシーリングブッシュに形成した円筒部を介在させ、リング体により円筒部を介して筒状ライニング部の拡径を防止したライニング型バタフライバルブである。【００２０】  請求項８に係る発明は、シーリングブッシュの円筒部に内挿したＯリングをシートライナの筒状ライニング部に摺接したライニング型バタフライバルブである。【００２１】  請求項９に係る発明は、ステムとジスクとを別体に形成したライニング型バタフライバルブである。【００２２】  請求項１０に係る発明は、短筒状のボデーの流路口とフランジ部とをシートライナで被覆し、全閉時の流体圧でジスクとステムとが二次側に若干移動する際に、シートライナが追随して移動可能な移動スペースをフランジ部の流路部側の縁部位置に設けたライニング型バタフライバルブである。【００２３】  請求項１１に係る発明は、ライニング部は、ジスクの上下のボス部を被覆したボス面とこのボス面からステムの外周に被覆した軸筒ライニング部とからなり、かつシートライナは、フランジ部から流路部を延設してボス面とシール接続するシール面とこのシール面から軸筒ライニング部の外周にシール接続する筒状ライニング部を上下に延設すると共に、ジスクの二次側への移動に追随して移動スペースによるシートライナの流路部の移動により、ボス面とシール面との天地シールと、軸筒ライニング部と筒状ライニング部との軸シールとのシール性を維持するようにしたライニング型バタフライバルブである。【００２４】  請求項１２に係る発明は、移動スペースは、ボデーの流路口の縁部をボデーの端面側に切り欠いて形成したテーパ面であるライニング型バタフライバルブである。【００２５】  請求項１３に係る発明は、移動スペースは、ボデーの流路口の縁部を段部状に切り欠いて形成した段部面であるライニング型バタフライバルブである。【００２６】  請求項１４に係る発明は、移動スペースは、シートライナの流路部とフランジ端部との接続部分に設けたテーパ状のテーパスペースであるライニング型バタフライバルブである。
【発明の効果】
【００２７】  請求項１に係る発明によると、シートライナで被覆した筒形ボデーと、ライニング部で被覆したジスクとにより流体に対して耐食性を有し、スプリングの弾発力でリング体を介してジスクの天地のボス面に位置するシートライナを押圧して天地シール部位のシール性を保持していることにより、一次シールである天地シール性を向上し、これと同時に、ステムの軸シール部位をリング体とステムとの間に挟み込んで軸シール部の拡径を防止していることにより、軸シール性を向上できる。この場合、これら天地シール性と軸シール性とが互いに悪影響を及ぼすことがなく、双方を保持して漏れを確実に防止する。しかも、リング体を天地シール性の軸シール性との確保に共用化できるため、部品点数の増加を抑えて内部構造も簡略化にも寄与する。スプリングの弾発力を利用して天地シール性を保持しているため、ライニング材料である樹脂が温度変化や経年変化により劣化した場合にもシール性を回復できる。組立て時においては、リング体の装着により天地シール性と軸シール性とを所定のシール力まで向上できるため、各シール力を調整する必要もなく、リング体の組み込みも容易である。【００２８】  請求項２に係る発明によると、ジスクの天地のシールボス面の外周近傍を強く押圧することにより、このシールボス面とシートライナとの当接部位の摺動抵抗を低減し、弁の開閉操作トルクの上昇を防止しながら天地シール性を向上でき、しかも、この天地シール性を、スプリングを用いて維持できる。【００２９】  請求項３に係る発明によると、環状鍔部を介してスプリングの押圧力をリング体からシートライナに伝達することにより、金属製のリング体が樹脂製シートライナを直接押圧する場合とは異なりシートライナの局部的な変形を防止し、このシートライナの破損を防止しつつ天地シール性を維持する。【００３０】  請求項４に係る発明によると、テーパ面によりジスクの天地のシールボス面の外周近傍を確実に強く押圧して天地シール性を確保する。【００３１】  請求項５に係る発明によると、樹脂製の筒状ライニング部の肉厚シール部を樹脂製の軸筒ライニング部の外周に押圧することにより、摩擦抵抗を低減して弁の開閉操作トルクの上昇を抑制しつつ軸シール性を確保できる。【００３２】  請求項６に係る発明によると、断面山形状のテーパ面部より軸筒ライニング部との押圧に伴う応力を分散しやすくなり、肉厚シール部の局部的な変形を抑制してクリープ現象も低減できる。このため、軸シール性を維持して漏れを確実に防止する。【００３３】  請求項７に係る発明によると、シーリングブッシュの円筒部の弾性力を利用して筒状ライニング部を軸筒ライニング部の外周に押圧して軸シール性を維持可能となる。【００３４】  請求項８に係る発明によると、スプリングを用いた天地シール構造を採用しつつ、この天地シールに用いるシーリングブッシュをＯリングによる三次シール部位の拡径防止に利用できることから、シーリングブッシュにより部品の共用化を図りつつ、三次シール性を高めて軸シール性を維持できる。【００３５】  請求項９に係る発明によると、ライニングしたジスクをシートライナで被覆した筒形ボデー内に組み入れた後に、ステムをジスクに挿入するだけで軸シール部位のシール性を確保できる。このため、全体の組立て作業が容易になり、ステムを別体化することでジスクのコンパクト化も可能にしつつ天地シール性と軸シール性とを確保できる。【００３６】  請求項１０に係る発明によると、弁閉時において流体圧によりジスクが二次側に移動した場合にも、シートライナが移動スペースを介して追随して移動可能となり、シートライナとライニング部との間の一次漏れを防いで天地シール性を維持し、かつ二次漏れを防いで軸シール性を維持できることで、高腐食性流体、塩素ガス等の化学流体、薬液等の流体を確実に閉止できる。しかも、シートライナの移動スペースを設けるだけでよいため加工性や成形性にも優れ、シートライナやライニング部、及びボデー形状の複雑化を抑えながら製作できる。そして、シートライナ、ジスクライニングの肉厚を確保できることから、流体の耐透過性も維持できる。【００３７】  請求項１１に係る発明によると、ジスクの二次側への移動に追随して移動スペースによりシートライナの流路部が移動することにより、ジスクと共に二次側に移動するボス面、軸筒ライニング部に対して、シール面、筒状ライニング部を追従させてシール状態を維持できる。これにより、ボス面とシール面との間の一次漏れを防いでボデーとジスクとの天地シール性を維持し、軸筒ライニング部と筒状ライニング部との間の二次漏れを防いでボデーとジスクとの軸シール性を維持して流体の漏れを確実に防止できる。【００３８】  請求項１２に係る発明によると、シートライナの流路部を拘束することなく変形可能にでき、ジスクとステムとが二次側に移動するときに流路部をテーパ面に沿ってスムーズに変形させてシートライナを追随でき、シートライナのボデーとの接触部分における応力集中も防止できる。テーパ面により移動スペースをボデーに容易に形成できるため、シートライナに加工を施す必要がなく成形性がよくなり、しかも、シートライナの厚みを薄くする必要もないため塩素等の流体への耐透過性も維持できる。【００３９】  請求項１３に係る発明によると、ボデー側に高い精度を要することなく簡単な加工により段部面を形成でき、この段部面を介してシートライナの流路部をジスクとステムとの二次側移動に追随するように確実に変形させることができる。これにより、シートライナに加工を施す必要がないため成形性がよく、しかも、シートライナの厚みを薄くする必要もないため塩素等の流体への耐透過性も維持できる。【００４０】  請求項１４に係る発明によると、ボデーに加工を施すことなくシートライナの成形加工と同時にテーパスペースを設けることができるため、テーパスペースを形成するための作業工数の増加を抑えることができる。テーパスペースを介してシートライナの流路部をジスクとステムとの二次側移動に追随させるように確実に変形できる。
【図面の簡単な説明】
【００４１】
【図１】本発明のライニング型バタフライバルブの実施形態を示す中央縦断面図である。
【図２】図１のライニング型バタフライバルブの中央縦断面図である。
【図３】図２の要部拡大断面図である。
【図４】肉厚シール部付近を示す一部拡大断面図である。
【図５】シーリングブッシュ付近を示す一部拡大断面図である。
【図６】図３のジスクが二次側に移動した状態を示す要部拡大断面図である。
【図７】本発明のライニング型バタフライバルブの第２実施形態を示す要部拡大断面図である。
【図８】本発明のライニング型バタフライバルブの第３実施形態を示す要部拡大断面図である。
【図９】従来のバラフライバルブを示す要部拡大断面図である。
【符号の説明】
【００４２】  １０  バルブ本体  １１  ボデー  １２  ジスク  １３  ステム  １５  流路口  １６  フランジ部  １８  軸シール部位  １９  天地シール部位  ２０  シートライナ  ２２  リング体  ２３  シーリングブッシュ  ２３ａ  円筒部  ２３ｂ  環状鍔部  ２４  Ｏリング  ２６  テーパ面  ２７  軸装部  ３０  流路部  ３１  シール面  ３２  ライニング部  ３３  軸筒ライニング部  ３４  筒状ライニング部  ３６  ボス部  ３７  ボス面  ４０  テーパ面（移動スペース）  ４２  肉厚シール部  ４３  テーパ面部  ４４  スプリング  ５１  段部面（移動スペース）  ６１  テーパスペース（移動スペース）
【発明を実施するための形態】
【００４３】  以下に、本発明におけるライニング型バタフライバルブの実施形態を図面に基づいて詳細に説明する。図１、図２においては、本発明のバタフライバルブの実施形態を示しており、図３においては、図２の要部拡大断面図を示している。
【００４４】  図１、図２において、バタフライバルブ（以下、バルブ本体１０という）は、例えば、化学薬品工業用プラントや食品関連の管路等に用いられ、筒形状のボデー１１、ジスク１２、上部ステム１３ａ及び下部ステム１３ｂからなるステム１３を有し、呼び径１００Ａの口径により設けられる。後述するが、バルブ本体１内には、シートライナ２０の筒状ライニング部３４、ライニング部３２の軸筒ライニング部３３、シーリングブッシュ２３を有する軸シール部位１８、ライニング部３２のボス面３７、シートライナ２０のシール面３１を有する天地シール部位１９が設けられる。
【００４５】  ボデー１１は、例えばダクタイル鋳鉄などの鋳鉄により筒形に成形され、上部ボデー１１ａ、下部ボデー１１ｂを有しており、これらがボルト１４により着脱可能に固定されている。ボデー１１には、流路口１５とフランジ部１６とが設けられ、これらがシートライナ２０で被覆されている。上部ボデー１１ａ、下部ボデー１１ｂのステム１３の軸装側には軸装穴２１を有する軸装部２７が設けられ、軸装部２７には、上部ステム１３ａ、下部ステム１３ｂがそれぞれ装着される。軸装部２７のジスク１２の装着側には、リング体２２、シーリングブッシュ２３、Ｏリング２４、ベアリング２５が装着され、これらに続いてコイルスプリングからなるスプリング４４が設けられる。
【００４６】  シートライナ２０は樹脂材料からなり、本実施形態では、ＰＦＡ（テトラフルオロエチレン・パーフルオロアルキルビニルエーテル共重合体）等のフッ素樹脂により、例えば３ｍｍ程度の肉厚に設けられ、これによって高い耐食性や耐熱性を発揮可能になっている。シートライナ２０において、流路口１５側には流路方向に移動可能な流路部３０が形成され、さらにこの流路部３０がフランジ部１６から延設されるようにして、内周側にシール面３１が設けられ、このシール面３１から後述する軸筒ライニング部３３の外周にシール接続可能な筒状ライニング部３４が、上下の軸装穴２１の軸芯方向に延設されている。
【００４７】  図３、図４において、筒状ライニング部３４は筒部からなり、シートライナ２０のステム１３を挿入する側に一体に延設され、この筒状ライニング部３４の内周には環状に肉厚シール部４２が形成される。
【００４８】  肉厚シール部４２は、軸筒ライニング部３３の外周を押圧可能な大きさに突設される。  肉厚シール部４２には、断面山形状のテーパ面部４３が形成され、このテーパ面部４３のテーパ角度は、例えば８°〜１５°の範囲に設定される。肉厚シール部４２は、軸筒ライニング部３３の外周に当接した状態で、軸筒ライニング部３３にステム１３が挿入されたときにこの軸筒ライニング部３３の外径側で圧接されて密着することにより軸シール部位１８の軸シール状態が得られる。
【００４９】  図１〜図３において、ジスク１２は、ステム１３とは別体に形成され、このステム１３を介してボデー１１内に回転自在に設けられる。ジスク１２の中心側には芯金３５が設けられ、この芯金３５は、例えば、ステンレス合金を材料として円盤状に形成され、芯金３５の接液面となる表面には、ボデー１１の場合と同様にＰＦＡ等のフッ素樹脂等の樹脂材料によるライニング部３２が、例えば３ｍｍの肉厚で被覆されている。
【００５０】  ライニング部３２は、ジスク１２の天地側においてジスク１２の上下に形成されたステム挿入孔１２ａの周囲面に形成されたボス部３６を被覆したボス面３７と、このボス面３７からステム１３の外周を被覆可能に延設された軸シール側の軸筒部からなる軸筒ライニング部３３とを有し、芯金３５の適宜位置に形成された貫通孔３５ａを介して芯金３５の表裏面の外周囲に一体に被覆されることにより、芯金３５からの離脱が防がれている。
【００５１】  ジスク１２のステム挿入孔１２ａの天地側には角形穴部３８が形成され、この角形穴部３８から上部ステム１３ａ、下部ステム１３ｂの接続側が挿入嵌合され、この上部ステム１３ａ、下部ステム１３ｂを介して、ライニング部３２が被覆されたジスク１２が、シートライナ２０が被覆されたボデー１１に回動可能に軸装される。このようにステム１３とジスク１２とを別体構造に設けていることで、組立てが容易となる。
【００５２】  軸装穴２１のステム１３の外周側には円筒状のベアリング２５が設けられ、このベアリング２５と下方に位置するシートライナ２０との間には、金属製の円筒状リング体２２がこれらに挟まれるようにして設けられる。
【００５３】  リング体２２は、ステンレス材料によりジスク１２の天地のシールボス面３７の外周近傍位置を上方側から強く押圧することが可能な径で設けられ、ジスク１２が回転可能な状態で、ベアリング２５を介して図１のスプリング４４の弾発力が伝達可能に設けられる。
【００５４】  図１において、上部ボデー１１ａの軸装穴２１にはベアリング部材７０が保持リング７１で係止された状態で配置され、このベアリング部材７０によりスプリング４４が下方向に弾発可能な状態に支持される。一方、下部ボデー１１ｂの軸装穴２１にはコマ部材７２が保持リング７１で係止された状態で配置され、このコマ部材７２の上にベアリング部材７３が重ねられ、このベアリング部材７３を介してスプリング４４が上方向に弾発可能な状態に支持される。これらのベアリング部材７０、７３、コマ部材７２により、上下のスプリング４４、４４がそれぞれジスク１２方向に弾発される。ベアリング部材７０やコマ部材７２の内外周には、防塵・防水用のＯリング７４、７５がそれぞれ装着されている。
【００５５】  ベアリング２５は、軸装穴２１のスプリング４４とリング体２２との間に配置され、このベアリング２５により上部ステム１３ａ、下部ステム１３ｂがそれぞれ三次シールの近傍（Ｏリング２４の近傍）で、回転自在且つ調心状態に支持されている。ベアリング２５は、ステンレス等の金属製のベアリングブッシュ２５ａの内周に、バックメタル付樹脂複層軸受２５ｂが装着された二層構造に設けられている。
【００５６】  ベアリングブッシュ２５ａは、スプリング４４が当接してその弾発力が加わる外径に設けられ、弾発力が加わったときにその端面側がリング体２２に当接し、リング体２２をジスク１２側に押圧可能に設けられる。この場合、ベアリングブッシュ２５ａのジスク１２側端面がシーリングブッシュ２３の端面にも接触していてもよいが、ベアリングブッシュ２５ａからシーリングブッシュ２３に押圧力を加える必要はない。
【００５７】  本実施形態においては、ベアリングブッシュ２５ａの下面とシーリングブッシュ２３の上面との間には、若干の隙間（図示せず）を設けており、シーリングブッシュ２３がベアリング２５によって押圧されないよう配置している。なお、ベアリング２５を介さずに、スプリング４４によりリング体２２を直接押圧する構造であってもよい。
【００５８】  シーリングブッシュ２３は鍔状部材からなり、カーボンファイバー入りＰＴＦＥ（ポリテトラフルオロエチレン）などの樹脂材料により成形され、軸装穴２１のリング体２２とライニング部３２及びシートライナ２０との間にシール部位として設けられる。図３において、シーリングブッシュ２３には円筒部２３ａが形成され、この円筒部２３ａの下部側には、外周方向に曲折されるように環状鍔部からなる鍔部２３ｂが形成される。鍔部２３ｂにはリング体２２の端面２２ａが当接し、これにより、リング体２２は、鍔部２３ｂを介してシートライナ２０を押圧するようになっている。
【００５９】  この構造によれば、バルブの過酷な使用等により、万が一、天地シール部位１９や軸シール部位１８のシール性が低下して、シートライナ２０とシーリングブッシュ２３との間に流体が浸入しても、樹脂製のシーリングブッシュ２３の鍔部２３ｂがリング体２２により樹脂製のシートライナ２０に強く押されているので、この押圧部位がいわゆる裏漏れと呼ばれる漏れを防止する。従って、金属製のリング体２２が腐食性流体に接することがなく、スプリング４４の弾発力を増してリング体２２を介してシートライナ２０を押圧し、天地シールを回復することができる。
【００６０】  ここで、図５に示すように、鍔部２３ｂの底面には、外径に向かって下降傾斜するテーパ面２６が角度θにより設けられ、これにより、図３のシーリングブッシュ２３をシートライナ２０に装着したときには、図５において鍔部底面の外径部位付近がシートライナ２０に当接するようにしてもよい。
【００６１】  また、図示しないが、流体が腐食性でない場合には、リング体２２の下部側が内周方向に曲折されるようにリング体２２の環状鍔部を形成し、シートライナ２０をリング体２２で直接押圧する構造を用いてもよい。この場合、シーリングブッシュ２３は、鍔部２３ｂが不要となり、円筒部２３ａは、リング体２２の環状鍔部の上方に配置すればよい。
【００６２】  筒状ライニング部３４とリング体２２との間に円筒部２３ａが介在されるようにシーリングブッシュ２３が装着され、リング体２２により円筒部２３ａを介して筒状ライニング部３４の拡径が防止される。
【００６３】  このような構成により、図１に示したバルブ本体１０において、ボデー１１の軸装部２７内に設けたスプリング４４を弾発力でリング体２２を介してジスク１２の天地のボス面３７に位置するシートライナ２０を押圧することにより、一次シールである当該天地シール部位１９のシール性を保持している。
【００６４】  これと共に、ステム１３の筒状ライニング部３４、軸筒ライニング部３３、シーリングブッシュ２３を有する軸シール部位１８をリング体２２とステム１３との間に挟み込むことにより、当該軸シール部位１８の拡径を防止し、これら摺接部位である軸シール部位１８が二次シールとして機能する。
【００６５】  さらに、図３において、シーリングブッシュ２３の円筒部２３ａよりも上部には保持部２３ｃが設けられ、この保持部２３ｃにＯリング２４が内挿される。これにより、軸シール部位１８（二次シール）よりも上方にＯリング２４が装着され、このＯリング２４が軸筒ライニング部３３に摺接し、これら軸筒ライニング部３３（上部ステム１３ａ、下部ステム１３ｂ）とＯリング２４とによる摺接部位が三次シールとして機能する。保持部２３ｃは、筒状ライニング部３４との間に隙間Ｘを形成可能な高さに設けられる。  図３においては、バルブ本体１０におけるジスク１２の上部側付近を示しているが、ジスク１２の下部側においても上部側と同様の構造に設けられる。
【００６６】  なお、上記実施形態において、リング体２２をステンレスにより設けているが、これ以外の金属材料によって設けるようにしてもよく、或は、ベアリング２５で押圧したときにリング体２２側（ジスク１２の外周近傍）を強く押圧可能であれば、金属材料以外の材料を用いるようにしてもよい。
【００６７】  また、スプリング４４としてコイルスプリングを用いているが、これに限ることはなく、例えば、皿ばねをスプリングとして用いてもよい。
【００６８】  続いて、バルブ本体の組立て手順を述べる。バルブ本体１を組立てる際には、上下側を同様に組み立てるものとする。  図１、図２において、先ず、ライニング部３２で被覆したジスク１２を、シートライナ２０の内側に組み入れる。その際、ジスク１２の上下の軸筒ライニング部３３をシートライナ２０の筒状ライニング部３４にそれぞれ内挿する。
【００６９】  次に、Ｏリング２４を保持部２３ｃに装着したシーリングブッシュ２３を筒状ライニング部３４の外周に装着する。このとき鍔部２３ｂを筒状ライニング部３４の外周側に嵌め込むようにし、図３において上部側のＯリング２４を軸筒ライニング部３３外周に当接させるように組み込む。
【００７０】  シーリングブッシュ２３の外周に、底面を鍔部２３ｂ上面に当接させるようにしながらリング体２２を装着する。これにより、金属製リング体２２がシーリングブッシュ２３の円筒部２３ａ及び保持部２３ｃを外周側から保持し、筒状ライニング部３４の肉厚シール部４２の拡径が阻止される。
【００７１】  この状態で上部ステム１３ａ、下部ステム１３ｂをそれぞれ軸筒ライニング部３３の内側に挿入してステム挿入孔１２ａに接続する。これにより、肉厚シール部４２には径方向に所定の押圧力が加わり、二次シール及び三次シールが機能することが可能になる。
【００７２】  一方、上部ボデー１１ａ、下部ボデー１１ｂの各軸装穴２１には、ベアリング２５、スプリング４４、ベアリング部材７０、７３、コマ部材７２をそれぞれ対応する位置に装着し、ベアリング部材７０、コマ部材７２をそれぞれ保持リング７１の係止により抜け出しを防止する。
【００７３】  最後に、上部ボデー１１ａ、下部ボデー１１ｂの間にジスク１２、シーリングブッシュ２３、リング体２２を装着した前述のシートライナ２０を配置し、これを挟み込んだ状態でボルト１４を締め付けることで一体化し、バルブ本体１０の組立てが完了となる。
【００７４】  図６において、組立後のバルブ本体１０に、全閉時において一次側から流体圧が加わった場合には、この流体圧でジスク１２とステム１３とが二次側に若干移動し、例えば、１．０ＭＰａの流体圧が加わったときには、ジスク１２が約０．２ｍｍ二次側に移動する。バルブ本体１０には、このようなジスク１２の移動の際に、シートライナ２０が追随して移動可能な移動スペース４０が、図３に示すように、フランジ部１６の流路部３０側の縁部位置に設けられている。
【００７５】  この移動スペース４０によるジスク１２の二次側への移動に追随したシートライナ２０の流路部３０の移動により、ボス面３７とシール面３１との天地シールと、軸筒ライニング部３３と筒状ライニング部３４との軸シール性とのシール性が維持されるようになっている。
【００７６】  移動スペース４０は、ボデー１１の流路口１５の縁部がボデー１１の端面側に切り欠かれて形成されたテーパ面により設けられ、この移動スペース４０の範囲内を流路部３０が変形可能になっている。そのため、テーパ面４０は、流路部３０がジスク１２に追随して二次側に移動して天地シールと軸シールとを維持でき、図３における横方向の移動寸法がジスク１２の最大移動距離になるような所定角度に設けられている。本実施形態では、前述のように１．０ＭＰａの流体圧により、ジスクが最大幅０．２ｍｍで横方向に移動する移動スペース４０を、ボデー１１とシートライナ２０との間に確保できる角度に設けられる。流路部の３０の横方向の移動寸法が大きすぎる場合、この流路部３０が移動しすぎてジスク１２の弁翼側のシールにマイナスの影響を与えるおそれがあるため注意が必要となる。
【００７７】  さらに、テーパ面４０の角度を調整して流路部３０の移動量を設定することも可能であり、移動量をごくわずかな量で微調整することで異なる口径や流体圧の加わるバルブ本体１０に応じて流路部３０の移動量を設定し、天地シール性と軸シール性とを維持できる。
【００７８】  テーパ面４０は、ボデー１１の流路口１５に沿って形成され、その外径がバルブ本体１０に接続される図示しない外部配管との接続部に配置される図３に示したガスケット４１の内径と同等以下に設定されている。これにより、流路方向においてテーパ面４０がガスケット４１のシール面４１ａに差し掛かることがなく、ガスケット４１のシール面４１ａに流体圧が加わった場合にもシートライナ２０のフランジ部分が影響を受けて変形することがないため、ガスケット４１による外部配管とのシール性を維持できる。
【００７９】  この場合、図２において右側を上流側、左側を下流側としているが、同図に示すような左右対称構造のバルブ本体１である場合、左側を上流側、右側を下流側としてもよい。  前述した移動スペース４０は、必ずしもボデー１１に形成されている必要はなく、シートライナ２０に形成されていてもよい。このように、移動スペース４０は、シートライナ２０或はボデー１１の何れか一方、或は双方に設けられていてもよく、さらに、何れの場合にも移動スペース４０をテーパ面以外の各種形状に設けることもできる。
【００８０】  次に、本発明のライニング型バタフライバルブの上記実施形態における作用を説明する。  図３において、全閉時のバルブ本体（呼び径１００Ａ）１０において、スプリング４４の弾発力でリング体２２を介してジスク１２の天地のボス面３７に位置するシートライナ２０を押圧することにより、ボス面３７とシール面３１を有する天地シール部位１９による一次シールである天地シール性を保持することができ、シートライナ２０やライニング部３２に劣化が生じた場合にも、スプリング４４の弾発力でシール性を回復できる。
【００８１】  この場合、スプリング４４の弾性力は、リング体２２を介してジスク１２の天地シール側のボス面３７の外周側に押圧力として伝達される。このため、操作トルクの上昇を抑制しつつ、ボス面３７とシール面３１とを集中的に密着できることで、所定の天地シールのシール性を得ることができる。
【００８２】  軸シール部位１８をリング体２２とステム１３との間に挟み込んで当該軸シール部位１８の拡径を防止していることにより、天地シール性に悪影響を及ぼすことなく二次シールである、軸筒ライニング部３３と筒状ライニング部３４とによる軸シール性も確保できる。これによって、天地シール性、軸シール性の何れか一方のシール性を低下させることなく、双方のシール性を向上でき、部品点数の増加も抑えることが可能になる。
【００８３】  シートライナ２０のシール面３１及び筒状ライニング部３４、ライニング部３２のボス３７及び軸筒ライニング部３３は、それぞれ樹脂により一体成形されているため、塩素等の腐食性流体に対して優れた耐食性を維持する。
【００８４】  各シール部位のシール性をより具体的に説明すると、天地シール部位１９においては、上部ステム１３ａや下部ステム１３ｂの外周に同心状に配置されたリング体２２が、スプリング４４の弾発力によりシートライナ２０を押圧してシール性を維持する。その際、天地シール部位１９を、ジスク１２の天地のボス面３７の外周近傍位置を強く押圧するようにしていることで、ボス面３７全体を押圧する場合に比較してジスク１２とシートライナ２０との摺動抵抗を低減しつつ一次シール性を維持でき、弁の開閉操作トルクの上昇を防止する。
【００８５】  しかも、軸シール部位１８にシーリングブッシュ２３を設け、このシーリングブッシュ２３の鍔部２３ｂを介してシートライナ２０を押圧していることで、リング体２２の端面２２ａがシートライナ２０を直接押圧することなく樹脂製のシーリングブッシュ２３が押圧することとなり、リング体２２からの押圧力を、鍔部２３ｂを介してシートリテーナ２０側に分散させるように伝達して応力集中を防ぐ。このため、金属製リング体２２が直接押圧する場合に比較して、シートライナ２０の局部的な変形を防止できる。
【００８６】  さらに、リング体２２により鍔部２３ｂとシートライナとを強く押圧することでこれらの当接部位もシール部位として機能し、この押圧部位が前述の裏漏れと呼ばれる漏れを防止する部位として機能する。
【００８７】  ここで、図５に示すように、鍔部２３ｂの底面に角度θのテーパ面２６を下降傾斜するように設けて、このテーパ面２６の外径側でジスク１２の外周近傍をより集中的に環状に強く押圧することで、天地シール性を一層高めることができる。
【００８８】  一方、軸シール部位１８においては、筒状ライニング部３４と軸筒ライニング部３３とが摺接し、このときに筒状ライニング部３４の内周の肉厚シール部４２が軸筒ライニング部３３の外周に押圧されることで機能する。これにより、局部的に高いシール性を得ることが可能になり、筒状ライニング部３４と軸筒ライニング部３３との間の漏れを防ぐ。肉厚シール部４２は、筒状ライニング部３４に一体に形成される樹脂であるため、これらの二次シールは樹脂同士の摺接となる。このことから、これらの材料としてフッ素樹脂などの摩擦係数の小さい樹脂材料を用いるようにすれば、樹脂製の筒状ライニング部３４を金属製ステム１３に直接押圧する場合と比較して、摩擦抵抗を大幅に低減して弁の開閉操作トルクの上昇を防止できる。
【００８９】  肉厚シール部４２に断面山形状のテーパ面部４３を形成していることで、このテーパ面部４３と筒状ライニング部３４との境界部分が裾野状に広がり、軸筒ライニング部３３との押圧に伴う応力を分散しやすくなる。これによって肉厚シール部４３の局部的な変形を抑制しつつ、クリープ現象も低減してシール性の低減を防いでいる。ステム１３をジスク１２に装着する際には、肉厚シール部４２に対してステム１３を円滑に乗り越えさせてジスク１２に挿入できる。シートライナ２０の製造時においては、肉厚シール部４２が筒状ライニング部３４の内方に突出するが、テーパ面部４３の断面山形状により成形型の取り外しの障害となるおそれもない。
【００９０】  上記のように軸シール部位１８を挟み込み、リング体２２で肉厚シール部４２の拡径を防止して二次シールのシール性を維持するためには、本実施形態のようにリング体２２を肉厚シール部４２との対向位置に配置するとよい。本実施形態では、図４において、肉厚シール部４２のジスク側端部４２ａの高さが、リング体２２の端面２２ａの高さと略一致するように設定している。
【００９１】  筒状ライニング部３４とリング体２２との間に円筒部２３ａを介在させ、リング体２２により円筒部２３ａを介して筒状ライニング部３４の拡径を防止していることにより、肉厚シール部４２を確実に軸筒ライニング部３３に押圧し、さらに樹脂製の円筒部２３ａの弾性力も利用することで一層軸シール性が向上する。
【００９２】  三次シール側において、シーリングブッシュ２３の円筒部２３ａに内挿したＯリング２４をシートライナ２０の筒状ライニング部３４に摺接していることにより、Ｏリング２４を上部ステム１３ａ、下部ステム１３ｂの各外周に所定の押圧力で摺接させてシール性を確保し、ステム１３周辺からの三次漏れを防止できる。さらに、保持部２３ｃをリング体２２に内装していることでリング体２２を保持部２３ｃの拡径防止にも利用しており、部品の共用化を図りつつ軸シール性をより向上できる。
【００９３】  しかも、このＯリング２４のステム１３周りの三次シール機能により、流体圧でジスク１２が二次側に移動した場合にも、ステム周辺の三次漏れを防止でき、シーリングブッシュ２３により部品を共用化しながら、応力集中を防止しつつ、三次シール機能を発揮する。
【００９４】  図３において、全閉時のバルブ本体（呼び径１００Ａ）１０に対して、一次側（図における右側）から１．０ＭＰａの流体圧が加わった場合、ジスク１２並びにステム１３が約０．２ｍｍ二次側（図における左側）に若干移動する。
【００９５】  ここで、シートライナ２０は、そのシール面３１がジスク１２のボス部３６を被覆したボス面３７とシールして天地シールを構成すると共に、シートライナ２０の筒状ライニング部３４がステム１３の外周を被覆した軸筒ライニング部３３とシールして軸シールを構成しているので、シートライナ２０の流路部３０には、ジスク１２並びにステム１３の二次側への移動に伴って、シール面３１や筒状ライニング部３４と共に二次側に移動する力が加わる。
【００９６】  その際、ボデー１１には予めフランジ部１６の流路部１５側の縁部位置に０．２ｍｍの幅を有する移動スペース４０が設けられているので、シートライナ２０の流路部３０は、図６に示すように、移動スペース４０の範囲内（最大幅０．２ｍｍ）で変形することができ、ジスク１２並びにステム１３の二次側への移動に追随して二次側に０．２ｍｍ移動することができる。
【００９７】  このため、ボス面３７とシール面３１とによる天地シールと、シートライナ２０の流路部３０の直交方向に形成されている筒状ライニング部３４と軸筒ライニング部３３とによる軸シールとのそれぞれのシール性を維持できる。これにより、天地シール側の一次漏れ及び軸シール側の二次漏れを防止できる。
【００９８】  しかも、ボデー１１の流路口１５の縁部をボデー１１の端面側に切り欠いて形成したテーパ面４０により移動スペースを設けていることにより、応力集中を防ぎながらシートライナ２０の流路部３０を移動できるため、シートライナ２０の消耗を抑えることができる。
【００９９】  さらには、鍔状部材２３の円筒部２３ａの内周にＯリング２４を装着していることで、鍔状部材２３と軸筒ライニング部３３との間の三次漏れを防止できる。
【０１００】  次に、図７においては、本発明のライニング型バタフライバルブの第２実施形態を示している。なお、この実施形態以降において、前記実施形態と同一部分は同一符号によって表し、その説明を省略する。  この実施形態におけるバルブ本体５０においては、ボデー１１の流路口１５の縁部が段部状に切り欠かれて円周状の段部面５１が形成され、この段部面５１によりシートライナ２０が追随して移動可能な移動スペースが設けられている。  この場合、ボデー１１側のフランジ部１６を所定の深さで切り欠くようにして段部面５１を形成できるため、この段部面５１を高い精度を必要とすることなく簡単な加工で形成できる。その際、段部面５１を可能な限り浅く形成することで、この段部面５１の境界付近におけるシートライナ２０の応力集中も回避できる。
【０１０１】  図８においては、本発明のライニング型バタフライバルブの第３実施形態を示している。この実施形態のバルブ本体６０においては、シートライナ２０の流路部３０とフランジ端部との接続部分にテーパ状のテーパスペース６１が切り欠くように形成され、このテーパスペース６１が移動スペースとなっている。  この場合、ボデー１１に加工を施すことなくシートライナ２０側に成形時に一度にテーパスペース６１を形成でき、より好ましくは、シートライナ２０をボデー１１に密着させるようにテーパスペース６１を形成することで、流体の耐透過性に対する影響を抑えることも可能になる。
【図１】
2016121709.tif 000003
【図２】
2016121709.tif 000004
【図３】
2016121709.tif 000005
【図４】
2016121709.tif 000006
【図５】
2016121709.tif 000007
【図６】
2016121709.tif 000008
【図７】
2016121709.tif 000009
【図８】
2016121709.tif 000010
【図９】
2016121709.tif 000011
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
シートライナで被覆した筒形ボデー内にライニング部で被覆したジスクをステムを介して開閉自在に設けたバタフライバルブであって、前記ステムの軸シール部位をリング体とステムとの間に挟み込むことにより当該軸シール部位の拡径を防止すると共に、前記ボデーの軸装部内に設けたスプリングの弾発力で前記リング体を介して前記ジスクの天地のボス面に位置するシートライナを押圧することにより当該天地シール部位のシール性を保持した状態で、前記シートライナに延設した筒状ライニング部の内周には、環状の肉厚シール部が形成され、この肉厚シール部をジスクのライニング部に延設した軸筒ライニング部の外周に押圧したことを特徴とするライニング型バタフライバルブ。
【請求項２】
前記天地シール部位は、前記ジスクの天地のシールボス面の外周近傍位置を強く押圧するようにした請求項１に記載のライニング型バタフライバルブ。
【請求項３】
前記リング体は、前記軸シール部位に設けたシーリングブッシュの環状鍔部を介して前記シートライナを押圧した請求項１又は２に記載のライニング型バタフライバルブ。
【請求項４】
前記環状鍔部の底面に、外径に向かって下降傾斜するテーパ面を設けた請求項３に記載のライニング型バタフライバルブ。
【請求項５】
前記肉厚シール部に断面山形状のテーパ面部を形成した請求項１乃至４の何れか１項に記載のライニング型バタフライバルブ。
【請求項６】
前記筒状ライニング部と前記リング体との間に前記シーリングブッシュに形成した円筒部を介在させ、前記リング体により前記円筒部を介して前記筒状ライニング部の拡径を防止した請求項３乃至５の何れか１項に記載のライニング型バタフライバルブ。
【請求項７】
前記シーリングブッシュの円筒部に内挿したＯリングを前記シートライナの筒状ライニング部に摺接した請求項３乃至６の何れか１項に記載のライニング型バタフライバルブ。
【請求項８】
前記ステムと前記ジスクとを別体に形成した請求項１乃至７の何れか１項に記載のライニング型バタフライバルブ。
【請求項９】
短筒状の前記ボデーの流路口とフランジ部とを前記シートライナで被覆し、全閉時の流体圧で前記ジスクと前記ステムとが二次側に若干移動する際に、前記シートライナが追随して移動可能な移動スペースを前記フランジ部の流路部側の縁部位置に設けた請求項１乃至８の何れか１項に記載のライニング型バタフライバルブ。
【請求項１０】
前記ライニング部は、前記ジスクの上下のボス部を被覆したボス面とこのボス面から前記ステムの外周に被覆した軸筒ライニング部とからなり、かつ前記シートライナは、前記フランジ部から前記流路部を延設して前記ボス面とシール接続するシール面とこのシール面から前記軸筒ライニング部の外周にシール接続する筒状ライニング部を上下に延設すると共に、前記ジスクの二次側への移動に追随して前記移動スペースによるシートライナの流路部の移動により、前記ボス面とシール面との天地シールと、前記軸筒ライニング部と筒状ライニング部との軸シールとのシール性を維持するようにした請求項９に記載のライニング型バタフライバルブ。
【請求項１１】
前記移動スペースは、ボデーの流路口の縁部をボデーの端面側に切り欠いて形成したテーパ面である請求項９又は１０に記載のライニング型バタフライバルブ。
【請求項１２】
前記移動スペースは、ボデーの流路口の縁部を段部状に切り欠いて形成した段部面である請求項９又は１０に記載のライニング型バタフライバルブ。
【請求項１３】
前記移動スペースは、前記シートライナの流路部とフランジ端部との接続部分に設けたテーパ状のテーパスペースである請求項９又は１０に記載のライニング型バタフライバルブ。
【手続補正２】
【補正対象書類名】明細書
【補正対象項目名】０００５
【補正方法】変更
【補正の内容】
【０００５】
さらに、図９において弁体４の移動に伴って弁棒６が二次側に移動することで、弁棒被覆部７と延長被覆部８との密着性も悪くなり、これら弁棒被覆部７と延長被覆部８とによってなされる弁棒６と弁箱９とのシール性、すなわち弁棒６の軸シール性が低下し、いわゆる二次漏れを生じるおそれもある。
［００１２］
本発明は、従来の課題を解決するために開発したものであり、その目的とするところは、流体に対する耐食性を有するライニング型バタフライバルブであり、天地シール性と軸シール性とを同時に向上して漏れを確実に防止し、流体圧によりジスクが二次側に移動した場合にも、これらのシール性を維持することができるバタフライバルブを提供することにある。
課題を解決するための手段
［００１３］
上記目的を達成するため、請求項１に係る発明は、シートライナで被覆した筒形ボデー内にライニング部で被覆したジスクをステムを介して開閉自在に設けたバタフライバルブであって、ステムの軸シール部位をリング体とステムとの間に挟み込むことにより当該軸シール部位の拡径を防止すると共に、ボデーの軸装部内に設けたスプリングの弾発力でリング体を介してジスクの天地のボス面に位置するシートライナを押圧することにより当該天地シール部位のシール性を保持した状態で、シートライナに延設した筒状ライニング部の内周には、環状の肉厚シール部が形成され、この肉厚シール部をジスクのライニング部に延設した軸筒ライニング部の外周に押圧したライニング型バタフライバルブである。
［００１４］
請求項２に係る発明は、天地シール部位は、ジスクの天地のシールボス面の外周近傍位置を強く押圧するようにしたライニング型バタフライバルブである。
［００１５］
請求項３に係る発明は、リング体は、軸シール部位に設けたシーリングブッシュの環状鍔部を介してシートライナを押圧したライニング型バタフライバルブである。
［００１６］
請求項４に係る発明は、環状鍔部の底面に、外径に向かって下降傾斜するテーパ面を設けたライニング型バタフライバルブである。
［００１７］
請求項５に係る発明は、肉厚シール部に断面山形状のテーパ面部を形成したライニング型バタフライバルブである。
【手続補正３】
【補正対象書類名】明細書
【補正対象項目名】０００６
【補正方法】変更
【補正の内容】
【０００６】
［００１８］
請求項６に係る発明は、筒状ライニング部とリング体との間にシーリングブッシュに形成した円筒部を介在させ、リング体により円筒部を介して筒状ライニング部の拡径を防止したライニング型バタフライバルブである。
［００１９］
請求項７に係る発明は、シーリングブッシュの円筒部に内挿したＯリングをシートライナの筒状ライニング部に摺接したライニング型バタフライバルブである。
［００２０］
請求項８に係る発明は、ステムとジスクとを別体に形成したライニング型バタフライバルブである。
［００２１］
請求項９に係る発明は、短筒状のボデーの流路口とフランジ部とをシートライナで被覆し、全閉時の流体圧でジスクとステムとが二次側に若干移動する際に、シートライナが追随して移動可能な移動スペースをフランジ部の流路部側の縁部位置に設けたライニング型バタフライバルブである。
［００２２］
請求項１０に係る発明は、ライニング部は、ジスクの上下のボス部を被覆したボス面とこのボス面からステムの外周に被覆した軸筒ライニング部とからなり、かつシートライナは、フランジ部から流路部を延設してボス面とシール接続するシール面とこのシール面から軸筒ライニング部の外周にシール接続する筒状ライニング部を上下に延設すると共に、ジスクの二次側への移動に追随して移動スペースによるシートライナの流路部の移動により、ボス面とシール面との天地シールと、軸筒ライニング部と筒状ライニング部との軸シールとのシール性を維持するようにしたライニング型バタフライバルブである。
［００２３］
請求項１１に係る発明は、移動スペースは、ボデーの流路口の縁部をボデーの端面側に切り欠いて形成したテーパ面であるライニング型バタフライバルブである。
［００２４］
請求項１２に係る発明は、移動スペースは、ボデーの流路口の縁部を段部状に切り欠いて形成した段部面であるライニング型バタフライバルブである。
【手続補正４】
【補正対象書類名】明細書
【補正対象項目名】０００７
【補正方法】変更
【補正の内容】
【０００７】
［００２５］
請求項１３に係る発明は、移動スペースは、シートライナの流路部とフランジ端部との接続部分に設けたテーパ状のテーパスペースであるライニング型バタフライバルブである。
［００２６］
発明の効果
［００２７］
請求項１に係る発明によると、シートライナで被覆した筒形ボデーと、ライニング部で被覆したジスクとにより流体に対して耐食性を有し、スプリングの弾発力でリング体を介してジスクの天地のボス面に位置するシートライナを押圧して天地シール部位のシール性を保持していることにより、一次シールである天地シール性を向上し、これと同時に、ステムの軸シール部位をリング体とステムとの間に挟み込んで軸シール部の拡径を防止していることにより、軸シール性を向上できる。この場合、これら天地シール性と軸シール性とが互いに悪影響を及ぼすことがなく、双方を保持して漏れを確実に防止する。しかも、リング体を天地シール性の軸シール性との確保に共用化できるため、部品点数の増加を抑えて内部構造も簡略化にも寄与する。スプリングの弾発力を利用して天地シール性を保持しているため、ライニング材料である樹脂が温度変化や経年変化により劣化した場合にもシール性を回復できる。組立て時においては、リング体の装着により天地シール性と軸シール性とを所定のシール力まで向上できるため、各シール力を調整する必要もなく、リング体の組み込みも容易である。筒状ライニング部の内周に形成された環状の肉厚シール部をジスクのライニング部に延設した軸筒ライニング部の外周に押圧したことにより、軸筒ライニング部にステムが挿入されたときに、この軸筒ライニング部の外径側で肉厚シール部が圧接され、この肉厚シール部に径方向の押圧力が加わって密着することで、軸シール部位の軸シール状態が得られる。この場合、環状の肉厚シール部が筒状ライニング部に押圧されることで、局部的に高いシール性が得られるため、筒状ライニング部と軸筒ライニング部との間の漏れを防止する。これらの摩擦抵抗を低減して弁の開閉操作トルクの上昇を抑制しつつ、軸シール性を確保することもできる。
［００２８］
請求項２に係る発明によると、ジスクの天地のシールボス面の外周近傍を強く押圧することにより、このシールボス面とシートライナとの当接部位の摺動抵抗を低減し、弁の開閉操作トルクの上昇を防止しながら天地シール性を向上でき、しかも、この天地シール性を、スプリングを用いて維持できる。
［００２９］
請求項３に係る発明によると、環状鍔部を介してスプリングの押圧力をリング体からシートライナに伝達することにより、金属製のリング体が樹脂製シートライナを直接押圧する場合とは異なりシートライナの局部的な変形を防止し、このシートライナの破損を防止しつつ天地シール性を維持する。
【手続補正５】
【補正対象書類名】明細書
【補正対象項目名】０００８
【補正方法】変更
【補正の内容】
【０００８】
［００３０］
請求項４に係る発明によると、テーパ面によりジスクの天地のシールボス面の外周近傍を確実に強く押圧して天地シール性を確保する。
［００３１］
請求項５に係る発明によると、断面山形状のテーパ面部を形成したことにより、このテーパ面部と筒状ライニング部との境界部分が裾野状に広がり、軸筒ライニング部との押圧に伴う応力を分散しやすくなる。このため、肉厚シール部の局部的な変形を抑制してクリープ現象も低減してシール性の低減を防止し、軸シール性を維持して漏れを確実に防止する。
［００３２］
請求項６に係る発明によると、シーリングブッシュの円筒部の弾性力を利用して筒状ライニング部を軸筒ライニング部の外周に押圧して軸シール性を維持可能となる。
［００３３］
請求項７に係る発明によると、スプリングを用いた天地シール構造を採用しつつ、この天地シールに用いるシーリングブッシュをＯリングによる三次シール部位の拡径防止に利用できることから、シーリングブッシュにより部品の共用化を図りつつ、三次シール性を高めて軸シール性を維持できる。
［００３４］
請求項８に係る発明によると、ライニングしたジスクをシートライナで被覆した筒形ボデー内に組み入れた後に、ステムをジスクに挿入するだけで軸シール部位のシール性を確保できる。このため、全体の組立て作業が容易になり、ステムを別体化することでジスクのコンパクト化も可能にしつつ天地シール性と軸シール性とを確保できる。
［００３５］
請求項９に係る発明によると、弁閉時において流体圧によりジスクが二次側に移動した場合にも、シートライナが移動スペースを介して追随して移動可能となり、シートライナとライニング部との間の一次漏れを防いで天地シール性を維持し、かつ二次漏れを防いで軸シール性を維持できることで、高腐食性流体、塩素ガス等の化学流体、薬液等の流体を確実に閉止できる。しかも、シートライナの移動スペースを設けるだけでよいため加工性や成形性にも優れ、シートライナやライニング部、及びボデー形状の複雑化を抑えながら製作できる。そして、シートライナ、ジスクライニングの肉厚を確保できることから、流体の耐透過性も維持できる。
［００３６］
請求項１０に係る発明によると、ジスクの二次側への移動に追随して移動スペースによりシートライナの流路部が移動することにより、ジスクと共に二次側に移動するボス面、軸筒ライニング部に対して、シール面、筒状ライニング部を追従させてシール状態を維持できる。これにより、ボス面とシール面との間の一次漏れを防いでボデーとジスクとの天地シール性を維持し、軸筒ライニング部と筒状ライニング部との間の二次漏れを防いでボデーとジスクとの軸シール性を維持して流体の漏れを確実に防止できる。
【手続補正６】
【補正対象書類名】明細書
【補正対象項目名】０００９
【補正方法】変更
【補正の内容】
【０００９】
［００３７］
請求項１１に係る発明によると、シートライナの流路部を拘束することなく変形可能にでき、ジスクとステムとが二次側に移動するときに流路部をテーパ面に沿ってスムーズに変形させてシートライナを追随でき、シートライナのボデーとの接触部分における応力集中も防止できる。テーパ面により移動スペースをボデーに容易に形成できるため、シートライナに加工を施す必要がなく成形性がよくなり、しかも、シートライナの厚みを薄くする必要もないため塩素等の流体への耐透過性も維持できる。
［００３８］
請求項１２に係る発明によると、ボデー側に高い精度を要することなく簡単な加工により段部面を形成でき、この段部面を介してシートライナの流路部をジスクとステムとの二次側移動に追随するように確実に変形させることができる。これにより、シートライナに加工を施す必要がないため成形性がよく、しかも、シートライナの厚みを薄くする必要もないため塩素等の流体への耐透過性も維持できる。
［００３９］
請求項１３に係る発明によると、ボデーに加工を施すことなくシートライナの成形加工と同時にテーパスペースを設けることができるため、テーパスペースを形成するための作業工数の増加を抑えることができる。テーパスペースを介してシートライナの流路部をジスクとステムとの二次側移動に追随させるように確実に変形できる。
［００４０］
【手続補正７】
【補正対象書類名】明細書
【補正対象項目名】００１０
【補正方法】変更
【補正の内容】
【００１０】
図面の簡単な説明
［００４１］
［図１］本発明のライニング型バタフライバルブの実施形態を示す中央縦断面図である。
［図２］図１のライニング型バタフライバルブの中央縦断面図である。
［図３］図２の要部拡大断面図である。
［図４］肉厚シール部付近を示す一部拡大断面図である。
［図５］シーリングブッシュ付近を示す一部拡大断面図である。
［図６］図３のジスクが二次側に移動した状態を示す要部拡大断面図である。
［図７］本発明のライニング型バタフライバルブの第２実施形態を示す要部拡大断面図である。
［図８］本発明のライニング型バタフライバルブの第３実施形態を示す要部拡大断面図である。
［図９］従来のバラフライバルブを示す要部拡大断面図である。
符号の説明
［００４２］
１０  バルブ本体
１１  ボデー
１２  ジスク
１３  ステム
１５  流路口
１６  フランジ部
１８  軸シール部位
１９  天地シール部位
２０  シートライナ
２２  リング体
２３  シーリングブッシュ
２３ａ  円筒部
【国際調査報告】
2016121709.tif 000012
2016121709.tif 000013
2016121709.tif 000014
2016121709.tif 000015